(57)【要約】      （修正有）【課題】炭酸温泉と同程度の効果が得られる低コストの炭酸ガス浴装置の提供。【解決手段】キャビネット２は、柔軟なカバーシート４及び５がキャビネット周縁に締めつける状態に取りつけたバインドバンド６によって外気とは隔絶して取つけられ、中央内部空間３は外部より供給される炭酸ガス１２及び１０から導入される水蒸気ミストで加温された気体によってわづかに加圧された状態に満たされる。カバーシート４とカバーシート５の間の空間は、弱い減圧状態となる様に開口チューブ９よりバキューム扇により安全な外気に排出される構造となっている。両下肢に炭酸ガス浴を行なう場合、カバーシート４及び５に取りつけた伸縮性のあるリング状スポンジ８に足を通してキャビネット２の内部空間３のベースマット１１に足先を安定させ、炭酸ガス浴を行なう。【選択図】図２
2007252871.tif 000002
【特許請求の範囲】
【請求項１】
生体体表面の一部分を気密状態に保つと共に前記気密環境内へ炭酸ガスを供給する事によって炭酸ガス浴を行なう事を特徴とする炭酸ガス浴装置。
【請求項２】
生体の一部分を炭酸ガス浴を行なう為の目的をもって外気より隔絶した機構又は構造によって独立した空間を形成し同時に前記空間の炭酸ガスの圧力を自由に調節する事が出来る炭酸ガス浴装置。
【請求項３】
特許請求の範囲第１項第２項記載の炭酸ガス浴装置の炭酸ガスを供給する空間環境を加温ミストによって温度と湿度を自由に調節する事が出来る機構を備えた炭酸ガス浴装置。
【請求項４】
特許請求の範囲第１項第２項第３項記載の炭酸ガス浴装置の生体体表面の部分を外気と遮断する為の機構又は構造に於いて炭酸ガス浴を行なう場合の気密状態と安全を完全に保つ目的をもって、第２の２重の気相シール構造を形成すると同時に第２の気相空間を独立した排気手段によって必要に応じた排気を行なう構造を備えた炭酸ガス浴装置。
【請求項５】
炭酸ガス浴を必要とする生体の部位を充分に安定的に収納する事の出来る容器に前記炭酸浴部位を収納し、炭酸ガスが前記体表部位を充分に満たす状態にすると共に、温度及び湿度を必要とする環境条件に調整し前記収納容器の開口部の周縁にスリット状の開口部を設け周縁の前記スリットの一部又は半周縁のスリットより残る前記周縁のスリットに向けて、前記容器内部とは別の一般外気による、強制された空気の流れによってエアカーテンを形成し前記炭酸ガスが満たされた容器内の炭酸ガスが外部に排出する事を防御する構造を備えた炭酸ガス浴装置。
【請求項６】
炭酸ガス浴を必要とする生体の部位に温度湿度の調整された炭酸ガスを吹きつけて炭酸ガス浴を行なうと共に前記炭酸ガスの吹出口の周縁には吹出した炭酸ガスの全量を吸引する目的をもってリング状に開口部を設けて吸引ポンプにより吸引し吸引された炭酸ガスは再び前記炭酸ガスの吹きつけラインに復帰、合流する事で炭酸ガスのサーキュレーション吹きつけラインを形成し、さらに前記リング状の吸引開口部の外側には平行する状態にリング状のスリット又は気孔を設け内縁周辺の炭酸ガスを吸引しチューブによって誘導し危険区域外に排出する機構を供えた炭酸ガス浴装置。
【発明の詳細な説明】
【技術分野】
【０００１】  本発明は、天然の炭酸温泉浴を模して行なわれている人工炭酸温泉浴を簡易で省力的な直接炭酸ガス浴による炭酸ガス浴装置である。
【背景技術】
【０００２】  炭酸温泉は優れた保温作用と共に含有炭酸ガスの末梢血管拡張作用による、体内環境に対する著しい改善作用が知られて居り、退行性病変及び末梢循環障害の治療に効果があるとされている。炭酸温泉は特に地質年代の古いヨーロッパに於いての涌出が数多く存在し数百年の歴史を伴った治療や療養が盛んに行なわれている。又医学や学術的にも非常に充実した状況であり温泉治療として保健制度にも適応されている。【０００３】  又一方我国の場合は年代の新しい地質環境によって炭酸温泉の涌出は非常に少ないと云う事もあり、日本での温泉の持つ意味は保養又は休養行楽的な常識となっている。今後日本に於ける医療を考える時、予防医療は重要な要素であり炭酸温泉のヨーロッパに於ける予防又は治療、医療としての大きな存在効果を認めると共に、これに習って自然炭酸温泉の少ない我が国に於いても炭酸温泉浴に順ずる効果を求めての技術開発を進めるべき社会的な要請となっている。【０００４】  炭酸温泉浴の効果の基本は炭酸温泉中に溶存する遊離炭酸が人体の水分中に親和浸透の形で作用する事によって起る生理学的働きによって一般の医療による治療に於いて難題となっている糖尿病合併症や成人病と呼ばれる様な不具合に対する多くの効果的結果が得られている。【０００５】  炭酸ガスは水分子との親和性も高く圧力調整されたシステムによって自然炭酸温泉に順ずる人工炭酸温泉等も数多く考案され今後広く社会的な実施段階に入ろうとしている。【０００６】  本考案は炭酸ガスを直接人体等生体水分中に取り込む為のシステムを提供するものである。
【発明が解決しようとする課題】
【０００７】  本発明は炭酸温泉浴によって得られる目的効果をいかに省力的に求められるかを検討して考案されたシステムである。炭酸ガス（以後ＣＯ２と記述）の親水和性は低温水の場合程溶解混和率が高く温度が上がるにしたがって効率は下る傾向にある。したがって高温の温泉水にＣＯ２ガスを混入させるには技術的にもシステム的にも相当程度の必要条件があり、設備には厳しい手順とコストを必要とする。
【０００８】  自然の炭酸ガス噴気口に於いてのＣＯ２ガス浴は数少ないが治療的利用の実施例が報告されて居り、自然又は掘削されて得られるＣＯ２ガス泉の直接作用効果はＣＯ２温泉浴と同等である事は公知の事となっている。
【０００９】  したがって炭酸温泉と同程度の効果を得る事が出来る天然の炭酸ガス浴に替えて人工的にＣＯ２ガスによるコストのかからないＣＯ２ガス浴装置を提供する事によって、炭酸温泉による高い効果をＣＯ２ガスを温湯に混合する複雑なコストや手順をかける事なく、より一層巾の広い利用法と共に簡便でどの様な場所でも利用の出来る装置として普及を計る事が本考案の目標とするところである。
【課題を解決する為の手段】
【００１０】  炭酸ガス浴を実施する為の良好な環境条件として高濃度のＣＯ２ガス雰囲気に対象となる生体体表を暴露すると共に生体内に最適な状態でＣＯ２ガスを吸収させる為に温度と湿度の条件を整える必要がある。又、ＣＯ２ガスは一般的に専門生産業者によって供給され対圧ボンベに封入され、ほぼ３ＭＰａ〜７ＭＰａの対圧容器によって供給される事が一般である為に、本装置にＣＯ２ガスを供給する場合は調圧バルブ及び自動制御バルブ等を介してＣＯ２ガス浴槽に供給を行なう。
【００１１】  又同時にＣＯ２ガスによる窒息現象を防御する目的の為に請求項第２項の通りＣＯ２ガス浴の為の空間は独立した環境とすると共に内圧や温度湿度を調整出来る機構とし他の一般生活、環境へのＣＯ２ガスの拡散を制御する基本的な構造機能とする。
【００１２】  但し全身のＣＯ２ガス浴の場合などは生体の呼吸口を独立した状態で空気を供給する仕様も可能である。又は首から上の部位を通常大気環境に出す状態で他の全身を独立したキャビネット内のＣＯ２ガス浴を行なう事も可能である。
【００１３】  本発明によるＣＯ２ガス浴装置の一つの実施例を請求項第４項にしたがい図１〜図３により被炭酸ガス浴対象を人１とする状態で対象部位は両下肢である場合、キャビネット２は柔軟なカバーシート４及び５がキャビネット周縁に締めつける状態に取りつけたバインドバンド６によって外気とは隔絶して取つけられ、中央内部空間３は外部より供給される炭酸ガス１２及び１０から導入される水蒸気ミストで加温された気体によってわづかに加圧された状態に満たされる。又カバーシート４とカバーシート５の間の空間は弱い減圧状態となる様に開口チューブ９よりバキューム扇により安全な外気に排出される構造となっている。両下肢に炭酸ガス浴を行なう場合、カバーシート４及び５に取りつけた伸縮性のあるリング状スポンジ８に足を通してキャビネット２の内部空間３のベースマット１１に足先を安定させ炭酸ガス浴を行なう。
【００１４】  前記カバーシート４及び５を二層構造とする事の意味は、炭酸ガスの生体に対する害を避ける目的をもってキャビネット２内の炭酸ガスがカバーシート４に取りつけたスポンジリング８と足との接合部その他から漏れ出す可能性をふまえてカバーシート４及び５との間に空隙を作りキャビネット２の前記空隙の側面に取りつけた排気チューブ９を介してバキューム扇によって安全な外気に排気する事によって炭酸ガス浴を行なう場合の安全を保つものである。
【００１５】  次に請求項第５に付いて図４により説明する。キャビネット２０は対象するキャビネットとは円形又は長円形や矩形に構成された同一断面の構造体であり、ＣＯ２ガス浴対象は人１とし足の膝下を炭酸ガス浴を行なう為のシステムである。温度と湿度を加えたＣＯ２ガスはチューブ１３より導入されサーキュレーター２１によってブース２２の中を強制循環しながらＣＯ２浴、空間１５の中へ向けスリット１６、１７等から吹き出されＣＯ２浴用の空間１５の中のＣＯ２ガス浴中の足部に吹つけながら空間１５を満たす。又サークル状に構成されたキャビネット２４の空間は中間位置に於いて区切られると共に一般外気を外気導入部より入る外気とサーキュレーターファン２３によってスリット１８’からスリット１９に向けて吹き出された２４の気体は１８より排気チューブによって安全な場所に排出される。又、前記スリット１８’よりスリット１９に向けて流れる気体はエアカーテン２８となってＣＯ２浴の為の空間１５の気体が上部一般外気への排出を防ぐ事が出来る事によって、人体への安全が保たれ、ＣＯ２ガス浴が出来る装置となっている。
【００１６】  次に請求項第６に付いて図５図６により説明する。図５は本考案の俯瞰模式図であり、全体のシステムを概念的に示した図であり、図６はＣＯ２ガス浴装置２９に於いて人１のＣＯ２ガス浴を必要とする部位１’の内側から見たＣＯ２ガス浴装置２９の展開図である。人１の不具合でＣＯ２ガス浴を必要とする１’をスポット的に処置を必要とする場合、フレキシブルで通気遮断性のマット２９をベース材として周縁部にはフレキシブルで同時に固定の出来る金属ワイヤー３０等を組み込んだ通気性パイプ３１を配置し、開口部３３を設置し中心部４０からは調整されたＣＯ２ガスが噴出する構造となって居り、ＣＯ２ガス浴装置内に放出したＣＯ２ガスは、次の周縁部に配置したＣＯ２ガスを吸引する構造のチューブ３７に吸集されて開口部３９を介して外部４１からタンク４４内に放出され、加温加湿装置４５の気体とＣＯ２ガスボンベ４８’からバルブ４７調圧器４６を介してタンク４４に放出されたＣＯ２ガス等と共にサーキュレーションブロワ４２によって加圧送気され、チューブ４３を介してＣＯ２ガス浴装置２９の中心開口部４０に放出され装置２９内を調整ＣＯ２ガスによって満たす構造となっている。又ＣＯ２ガス浴装置２９の周縁部からＣＯ２ガスが漏れ出す事を防止する目的をもって前記ＣＯ２ガス浴装置２９の周縁部に配置した開口部３３からチューブ３４を介してバキュームブロワ３５によって安全な外気３６へ排気を行なう事によって、安全にＣＯ２ガス浴を行なう事が出来る。スポット部位に自由にＣＯ２ガス浴を行なう事の出来るＣＯ２ガス浴装置。
【図面の簡単な説明】
【００１８】
【図１】  本発明による炭酸ガス浴の１人用両下肢用装置の全体側断面図
【図２】  第１図の炭酸ガス浴装置の拡大断面図
【図３】  第２図の炭酸ガス浴装置の上部より見た平面図
【図４】  本発明による炭酸ガス浴を複数人に供する為の側断面図
【図５】  本発明によるスポット炭酸ガス浴の俯瞰説明図
【図６】  第５図の炭酸ガス浴装置の拡大説明図
【符号の説明】
【００１９】  １  被炭酸ガス浴の生体又は部位
２  炭酸ガス浴１人用キャビネット
４  炭酸ガス浴の為のガスをシールする為の幕
５  漏れた炭酸ガスを吸引排出の為のシール幕
８  炭酸ガス漏れ防止用スポンジバンド
１８’炭酸ガス漏れ制御の為の通常空気によるエアカーテン用吹出口
１９  １８’から流れるエアカーテンエアを吸い込む為のスリット
２８  エアカーテン
２９  炭酸ガス浴をスポット的に行なう為のパット形のシステム
【図１】
2007252871.tif 000003
【図２】
2007252871.tif 000004
【図３】
2007252871.tif 000005
【図４】
2007252871.tif 000006
【図５】
2007252871.tif 000007
【図６】
2007252871.tif 000008